(57)【要約】      （修正有）【課題】バイオメトリクス認証による支払システム及び支払方法を提供する。【解決手段】支払システム１００は、生物的特徴確認装置１３、移動端末１１、授権支払子システム１２を含む。生物的特徴確認装置は、ユーザーの生物的特徴の抽出、且つ生物的特徴情報及び被支払側の授権支払情報の保存に用いられ、生物的特徴確認装置が生物的特徴情報の認証を通過した授権支払情報を移動端末に送信する。移動端末は、近距離通信モジュールが設けられ、生物的特徴確認装置と近距離で生物的特徴及び前記授権支払情報を送信することに用いられ、近距離支払を達成する。さらに授権支払子システムとの確認に用いられる。授権支払子システムは、移動端末からの支払請求を受信するとき、支払請求に運ばれる支払情報と授権支払子システムに保存されたユーザー情報と照合する。【選択図】図１
2015138545.tif 000002
【特許請求の範囲】
【請求項１】
電子支払システムであって、
移動端末と、授権支払子システムを含み、
前記移動端末にマイクロプロセッサチップ、生物的特徴確認装置が設けられ、
前記マイクロプロセッサチップは、
前記移動端末と前記授権支払子システムとの通信を制御する第一マイクロプロセッサユニットと
前記移動端末と前記授権支払子システムとの通信データを暗号化又は解読を行う第二マイクロプロセッサユニットと、を含み、
ユーザーがインターネットによる支払を行う場合、前記移動端末が前記授権支払子システムからの確認情報を受信して、前記移動端末によってメッセージコードを入力して、前記第一マイクロプロセッサユニットの制御で通信インタフェースによる前記メッセージコードを前記授権支払子システムに送信して、第一ステップの確認を完成し；
前記生物的特徴確認装置による前記ユーザーに対して身分認証を行い、前記第二マイクロプロセッサユニットが、前記授権支払子システムに許可された授権支払協議に基づいて、暗号化された前記ランダム確認コードを生成し、前記第一マイクロプロセッサユニットの制御で、通信インタフェースによる前記ランダム確認コードを前記授権支払子システムに送信して、第二ステップの確認を完成する
ことを特徴とする電子支払システム。
【請求項２】
前記生物的特徴確認装置が指紋認証装置であり、
前記指紋認証装置が
前記第一マイクロプロセッサユニットの制御でユーザーの指紋情報を抽出する指紋センサーと、
前記指紋センサーによる抽出されたユーザーの指紋情報を登録保存する指紋格納メモリと、
前記第一マイクロプロセッサユニットの制御で前記指紋センサーによる抽出された指紋情報を前記指紋格納メモリに登録保存された授権ユーザーの指紋情報と照合して、前記指紋センサーが抽出された指紋情報が授権ユーザーの指紋情報と確認する指紋認証サーバーと、を含む
ことを特徴とする請求項１に記載の電子支払システム。
【請求項３】
前記通信インタフェースは、
前記第一マイクロプロセッサユニットの制御で前記移動端末のデータ伝送機能を実現することに用いられ、前記授権支払子システムとデータ伝送を行うユーザー識別モジュールのデータ伝送インタフェース；及び/又は
前記第一マイクロプロセッサユニットの制御で前記移動端末のネット接続機能を実現することに用いられ、前記授権支払子システムと接続するワイファイインタフェースとを含む
ことを特徴とする請求項１に記載の電子支払システム。
【請求項４】
前記第一マイクロプロセッサユニットと第二マイクロプロセッサユニットとの間に汎用非同期送受信回路のインタフェースによる通信する
ことを特徴とする請求項１に記載の電子支払システム。
【請求項５】
前記授権支払子システムが前記メッセージコード及びランダム確認コードを受信するとき、前記ユーザーの対応するネット口座で対応する控除操作を行う
ことを特徴とする請求項１〜４のいずれかの項に記載の電子支払システム。
【請求項６】
前記ユーザーがネットによる支払を実現するとき、前記移動端末が前記授権支払子システムからの確認情報を受信して、前記移動端末によってメッセージコードを入力して、前記移動端末内に設けられた前記第一マイクロプロセッサユニットの制御で通信インタフェースによる前記メッセージコードを前記授権支払子システムに送信して、第一ステップの確認を完成するステップと、
前記生物的特徴確認装置による前記ユーザーに対して身分認証を行い、前記移動端末内に設けられた前記第二マイクロプロセッサユニットが、前記授権支払子システムに許可された授権支払協議に基づいて、暗号化された前記ランダム確認コードを生成し、前記第一マイクロプロセッサユニットの制御で、前記通信インタフェースによる前記ランダム確認コードを前記授権支払子システムに送信して、第二ステップの確認を完成するステップとを含む
ことを特徴とする電子支払方法。
【請求項７】
前記生物的特徴確認装置が指紋認証装置である。前記指紋認証装置によるユーザーに対して身分認証を行うステップは：
前記第一マイクロプロセッサユニットの制御で指紋センサーによるユーザーの指紋情報を抽出するステップと、
指紋格納メモリによる前記指紋センサーより抽出されたユーザーの指紋情報を登録保存するステップと、
前記第一マイクロプロセッサユニットの制御で指紋認証サーバーによる前記指紋センサーより抽出された指紋情報を前記指紋格納メモリに登録保存された授権ユーザーの指紋情報と照合して、前記前記指紋センサーが抽出された指紋情報が授権ユーザーの指紋情報と確認するステップと、を含む
ことを特徴とする請求項６に記載の電子支払方法。
【請求項８】
前記通信インタフェースは、ユーザー識別モジュールのデータ伝送インタフェース及び/又はワイファイインタフェースを含み、
前記第一マイクロプロセッサユニットの制御で前記ユーザー識別モジュールのデータ伝送インタフェースによる前記移動端末のデータ伝送機能を実現して、授権支払子システムとデータ伝送を行うステップ；及び/又は
前記第一マイクロプロセッサユニットの制御で前記ワイファイインタフェースによる前記移動端末のネット接続機能を実現して、前記授権支払子システムと接続するステップとをさらに、含む
ことを特徴とする請求項６に記載の電子支払方法。
【請求項９】
第二マイクロプロセッサユニットによる前記移動端末と前記授権支払子システムとの間に伝送される支払データに対して暗号化して、且つ第一マイクロプロセッサユニットの制御で前記通信インタフェースによる暗号化された支払データを前記授権支払子システムに送信するステップと、
前記第一マイクロプロセッサユニットと第二マイクロプロセッサユニットとの間に汎用非同期送受信回路のインタフェースによる通信するステップをさらに含む
ことを特徴とする請求項６に記載の電子支払方法。
【請求項１０】
前記授権支払子システムが前記メッセージコード及びランダム確認コードを受信するとき、前記ユーザーの対応するネット口座で対応する控除操作を行う
ことを特徴とする請求項６〜９のいずれかの一項に記載の電子支払方法。
【発明の詳細な説明】
【技術分野】
【０００１】
本発明は、電子技術分野に関し、特に電子支払システム及び電子支払方法に関わっている。
【背景技術】
【０００２】
現在、銀行システムはネットバンク支払を完成するために主に２つに方法があり、一つはＵＳＢキーであり、もう一つは携帯メッセージ及び銀行から配られた電子パスワードカードを利用して確認を行い、支払を完成する。発明者は先行技術を分析した結果、携帯メッセージ及び銀行から配られた電子パスワードカードを利用して確認を行う方法が、それぞれ認証する方法で安全性を増加できるけど、依然として下記の不足がある：消費者にとって、電子パスワードカードは銀行から配れるので、前記電子パスワードカードを入手するためにユーザーが一定の金額を支払わなければならないので、ユーザーのコストを高めるし、電子パスワードカードの携帯が不便である；また、電子パスワードカードを手元に持たない場合ネット交易を完成できないことも、ユーザに不便をかけやすい。
【発明の概要】
【０００３】
先行技術の問題を解決するために、本発明は電子支払システム及び電子支払方法を提供して、本発明の技術案とは、具体的に下記のように参照する。
【０００４】
一方では、本発明は電子支払システムを開示され、前記システムは移動端末、授権支払子システムを含む；その中に、前記移動端末にマイクロプロセッサチップ、生物的特徴確認装置が設けられ、前記マイクロプロセッサチップは前記移動端末と前記授権支払子システムとの通信を制御する第一マイクロプロセッサユニットと、前記移動端末と前記授権支払子システムとの通信データを暗号化又は解読を行う第二マイクロプロセッサユニットを含む。
【０００５】
その中に、ユーザーはインターネットによる支払を行う場合、前記移動端末が前記授権支払子システムからの確認情報を受信して、前記移動端末によってメッセージコードを入力して、前記第一マイクロプロセッサユニットの制御で通信インタフェースによる前記メッセージコードを前記授権支払子システムに送信して、第一ステップの確認を完成する；前記生物的特徴確認装置による前記ユーザーに対して身分認証を行い、前記第二マイクロプロセッサユニットが、前記授権支払子システムに許可された授権支払協議に基づいて、暗号化された前記ランダム確認コードを生成し、前記第一マイクロプロセッサユニットの制御で、通信インタフェースによる前記ランダム確認コードを前記授権支払子システムに送信して、第二ステップの確認を完成する。
【０００６】
もう一方では、本発明は電子支払方法を開示され、該電子支払方法は、
前記ユーザーがネットによる支払を実現するとき、前記移動端末が前記授権支払子システムからの確認情報を受信して、前記移動端末によってメッセージコードを入力して、前記移動端末内に設けられた前記第一マイクロプロセッサユニットの制御で通信インタフェースによる前記メッセージコードを前記授権支払子システムに送信して、第一ステップの確認を完成するステップと、
前記生物的特徴確認装置による前記ユーザーに対して身分認証を行い、前記移動端末内に設けられた前記第二マイクロプロセッサユニットが、前記授権支払子システムに許可された授権支払協議に基づいて、暗号化された前記ランダム確認コードを生成し、前記第一マイクロプロセッサユニットの制御で、前記通信インタフェースによる前記ランダム確認コードを前記授権支払子システムに送信して、第二ステップの確認を完成するステップとを含む。
【０００７】
本発明の実施例が提供された技術案は、下記の有益な効果を有する。
【０００８】
即ち、第一マイクロプロセッサユニットの制御でメッセージコード及びランダム確認コードを授権支払子システムに送信して、且つ生物的特徴確認装置によるユーザーに対して認証を行い、二つのステップの認証を実現することで、ユーザーのネット上支払の安全性を確保する；移動端末が第一マイクロプロセッサユニットと第二マイクロプロセッサユニット及び生物的特徴確認装置を含むため、本発明実施例の一つの移動端末による交易を完成でき、交易の安全性を確保以上便利さ・迅速化を実現できる。
【図面の簡単な説明】
【０００９】
本発明実施例の技術案をより一層明確に説明するために、以下実施例に記載された図面について簡単に紹介する。明らかに、下記された図面はただ本発明実施例の一部であり、当業者にとって、創造的な労働をせず、それらの図面から他の図面をもらえる。
【００１０】
【図１】本発明実施例一が提供した電子支払システムの構造図である。
【図２】本発明実施例二が提供した電子支払システムの構造図である。
【図３】本発明実施例三が提供した電子支払方法のフロー図である。
【図４】本発明実施例に適用される電子支払システムの構造図である。
【発明を実施するための形態】
【００１１】
本発明の目的、技術案及び優れた点はより一層明確になるために、以下では、図面を参照して本発明の実施形態について詳しく記述する。
【００１２】
実施例一
図１は、本発明実施例一が提供した電子支払システムの構造図である：図１に示すように、本発明実施例一が提供した電子支払システム１００は具体的に、移動端末１１、授権支払子システム１２を含む；その中に、前記移動端末１１にマイクロプロセッサチップ１５、生物的特徴確認装置１３、通信インタフェース１４が設けられ、前記マイクロプロセッサチップ１５は、前記移動端末と前記授権支払子システムとの通信を制御する第一マイクロプロセッサユニットと、前記移動端末と前記授権支払子システムとの通信データを暗号化又は解読を行う第二マイクロプロセッサユニットを含む。
【００１３】
その中に、前記ユーザーはインターネットによる支払を行う場合、前記移動端末１１が前記授権支払子システム１２からの確認情報を受信して、前記移動端末１１によってメッセージコードを入力して、前記第一マイクロプロセッサユニット１５１の制御で通信インタフェース１４による前記メッセージコードを前記授権支払子システム１２に送信して、第一ステップの確認を完成する；前記生物的特徴確認装置１３による前記ユーザーに対して身分認証を行い、ユーザーの身分認証がパスしてから、前記第二マイクロプロセッサユニット１５２が、前記授権支払子システム１２に許可された授権支払協議に基づいて、暗号化された前記ランダム確認コードを生成し、前記第一マイクロプロセッサユニット１５１の制御で、通信インタフェース１４による前記ランダム確認コードを前記授権支払子システム１２に送信して、第二ステップの確認を完成する。
【００１４】
本発明実施例が提供した電子支払システムは、第一マイクロプロセッサユニット１５１の制御でメッセージコード及びランダム確認コードを授権支払子システム１２に送信して、且つ生物的特徴確認装置によるユーザーに対して認証を行い、二つのステップの認証を実現することで、ユーザーのネット上支払の安全性を確保する；移動端末が第一マイクロプロセッサユニット１５１と第二マイクロプロセッサユニット１５２及び生物的特徴確認装置１３を含むため、本発明実施例の一つの移動端末１１による交易を完成でき、交易の安全性を確保以上便利で迅速な交易を実現できる。
【００１５】
実施例二
図２は、本発明実施例二が提供した電子支払システムの構造図である：本発明実施例の生物的特徴確認装置は具体的に指紋認証装置であり、図２に示すように、本発明実施例が提供した電子支払システム２００は具体的に、移動端末２１、授権支払子システム２２を含む；その中に、前記移動端末２１にマイクロプロセッサチップ２５、指紋認証装置２３、通信インタフェース２４が設けられ、前記マイクロプロセッサチップ２５は、前記移動端末２１と前記授権支払子システム２２との通信を制御する第一マイクロプロセッサユニット２５１と、前記移動端末２１と前記授権支払子システム２２との通信データを暗号化又は解読を行う第二マイクロプロセッサユニット２５２を含む。
【００１６】
その中に、前記ユーザーはインターネットによる支払を行う場合、前記移動端末２１が前記授権支払子システム２２からの確認情報を受信して、前記移動端末２１によってメッセージコードを入力して、前記第一マイクロプロセッサユニット２５１の制御で通信インタフェース２４による前記メッセージコードを前記授権支払子システム２２に送信して、第一ステップの確認を完成する；さらに、授権支払子システム２２からの確認情報は授権支払子システム２２による暗号化されたものであってよいし、移動端末２１が該暗号化された確認情報を受領してから、第二マイクロプロセッサユニット１５２による解読して、解読後の確認情報を得る。
【００１７】
前記指紋認証装置２３による前記ユーザーに対して身分認証を行い、ユーザーの身分認証がパスしてから、前記第二マイクロプロセッサユニット２５２が、前記授権支払子システム２２に許可された授権支払協議に基づいて、暗号化された前記ランダム確認コードを生成し、前記第一マイクロプロセッサユニット２５１の制御で、通信インタフェース２５４による前記ランダム確認コードを前記授権支払子システム２２に送信して、第二ステップの確認を完成する；前記授権支払子システム２２が前記メッセージコード及び前記ランダム確認コードを受信するとき、前記ユーザーの対応するネット口座で対応する控除操作を行う。
【００１８】
さらに、指紋認証装置２３はまた、指紋センサー２３１、指紋格納メモリ２３２、指紋認証サーバー２３３を含む。指紋センサー２３１は第一マイクロプロセッサユニット２５１の制御でユーザーの指紋情報を抽出する；指紋格納メモリ２３２は前記指紋センサー２３１より抽出されたユーザーの指紋情報を登録保存する；指紋認証サーバー２３３は第一マイクロプロセッサユニット２５１の制御で前記指紋センサー２３１より抽出された指紋情報を前記指紋格納メモリ２３２に登録保存された授権ユーザーの指紋情報と照合して、前記指紋センサー２３１が抽出された指紋情報が授権ユーザーの指紋情報であると確認する。当業者であれば理解できるように、指紋センサー２３１はタッチ式でもよいし、スキャン式でもよい。異なる種類の移動端末は異なる指紋センサーを使ってよい。本発明実施例では指紋センサー２３１の具体的な構造を制限しない。
【００１９】
さらに、前記通信インタフェース２４は具体的に：
前記第一マイクロプロセッサユニットの制御で前記移動端末のデータ伝送機能を実現して、授権支払子システムとデータ伝送を行うユーザー識別モジュールのデータ伝送インタフェースによる；及び／又は
前記第一マイクロプロセッサユニットの制御で前記移動端末のネット接続機能を実現して、前記授権支払子システムと接続する前記ワイファイインタフェースを含む。
【００２０】
さらに、前記第一マイクロプロセッサユニット２５１と第二マイクロプロセッサユニット２５２との間に汎用非同期送受信回路のインタフェースによる通信する。
【００２１】
当業者であれば理解できるように、本発明実施例ではただ生物的特徴確認装置が具体的に指紋認証装置２３を例として例示して説明する。生物的特徴確認装置はさらにハイレゾリューション画像センサー装置を含み、ハイレゾリューション画像センサー装置によるユーザーの顔面特徴、ユーザーの虹彩情報又は毛細血管を抽出して、顔面特徴、ユーザーの虹彩情報又は毛細血管によりユーザーに対して身分認証を行う。
【００２２】
本発明実施例が提供した電子支払システムは、第一マイクロプロセッサユニット２５１の制御でメッセージコード及びランダム確認コードを授権支払子システム２２に送信して、且つ生物的特徴確認装置によるユーザーに対して認証を行い、二つのステップの認証を実現することで、ユーザーのネット上支払の安全性を確保する；移動端末が第一マイクロプロセッサユニット２５１と第二マイクロプロセッサユニット２５２及び生物的特徴確認装置２３を含むため、本発明実施例の一つの移動端末２１による交易を完成でき、交易の安全性を確保以上便利で迅速な交易を実現できる。
【００２３】
さらに、上述の実施例二において、第一マイクロプロセッサユニット２５１はまた移動端末２１にあるハードディスクを制御でき、例えば指紋センサー２３１、移動端末２１上の外部装置、及び如何なる移動端末２１に接続又は取り付けられるハードディスクを含む；第二マイクロプロセッサユニット２５２はまた移動端末２１にあるハードディスクを制御でき、具体的にソフトウェアの間の通信及び制御などを含む。
【００２４】
実施例三
図３は、本発明実施例三が提供した電子支払方法のフロー図である；本発明実施例は実施例一及び実施例二の電子支払システムによる実現できる。図３に示すように、本発明実施例中の電子支払方法は具体的に下記のステップを含む：
ステップ３０１、ユーザーはインターネットによる支払を行う場合、前記移動端末が前記授権支払子システムからの確認情報を受信して、前記移動端末によってメッセージコードを入力して、前記第一マイクロプロセッサユニットの制御で通信インタフェースによる前記メッセージコードを前記授権支払子システムに送信して、第一ステップの確認を完成する；
ステップ３０２、前記生物的特徴確認装置による前記ユーザーに対して身分認証を行い、前記第二マイクロプロセッサユニットが、前記授権支払子システムに許可された授権支払協議に基づいて、暗号化された前記ランダム確認コードを生成し、前記第一マイクロプロセッサユニットの制御で、通信インタフェースによる前記ランダム確認コードを前記授権支払子システムに送信して、第二ステップの確認を完成する。
【００２５】
本発明実施例が提供した電子支払方法は、第一マイクロプロセッサユニットの制御でメッセージコード及びランダム確認コードを授権支払子システムに送信して、且つ生物的特徴確認装置によるユーザーに対して認証を行い、二つのステップの認証を実現することで、ユーザーのネット上支払の安全性を確保する；移動端末が第一マイクロプロセッサユニットと第二マイクロプロセッサユニット及び生物的特徴確認装置を含むため、本発明実施例の一つの移動端末による交易を完成でき、交易の安全性を確保以上便利で迅速な交易を実現できる。
【００２６】
さらに、上述の実施例三において、生物的特徴確認装置は具体的に指紋認証装置であるとき、ステップ３０２における「生物的特徴確認装置によるユーザーに対して身分認証を行う」ことについて、具体的に：
指紋センサーによるユーザーの指紋情報を抽出する；
指紋格納メモリによる前記指紋センサーより抽出されたユーザーの指紋情報を登録保存する；
指紋認証サーバーによる前記指紋センサーより抽出された指紋情報を前記指紋格納メモリに登録保存された授権ユーザーの指紋情報と照合して、前記前記指紋センサーが抽出された指紋情報が授権ユーザーの指紋情報と確認する。
【００２７】
さらに、上述の実施例三において、前記通信インタフェースは、ユーザー識別モジュールのデータ伝送インタフェース及び／又はワイファイインタフェースを含む。
【００２８】
前記第一マイクロプロセッサユニットの制御で前記ユーザー識別モジュールのデータ伝送インタフェースによる前記移動端末のデータ伝送機能を実現して、授権支払子システムとデータ伝送を行う；及び／又は
前記第一マイクロプロセッサユニットの制御で前記ワイファイインタフェースによる前記移動端末のネット接続機能を実現して、前記授権支払子システムと接続する。
【００２９】
さらに、上述の実施例三において、電子支払方法はさらに：
前記第一マイクロプロセッサユニットと前記第二マイクロプロセッサユニットとの間にシリアルインタフェースによる通信を行うことを含んでもよい。
【００３０】
さらに、上述の実施例三において、ステップ３０２の後、電子支払方法はさらに：
前記授権支払子システムが前記メッセージコード及びランダム確認コードを受信するとき、前記ユーザーの対応するネット口座で対応する控除操作を行うことを含んでもよい。
【００３１】
実施例四
図４は、本発明実施例に適用される電子支払システムの構造図である；本発明実施例は授権支払子システムが具体的に銀行授権支払確認システムであり、生物的抽出装置が具体的に指紋センサー装置であることを例として例示して説明する。図４に示すように、本発明実施例中が具体的に下記の部分を含む：移動端末４１、銀行授権支払確認システム４２；前記移動端末４１にマイクロプロセッサチップ４５、指紋認証装置４３、通信インタフェース４４が設けられ、前記マイクロプロセッサチップ４５は、前記移動端末４１と前記授権支払子システム４２との通信を制御する第一マイクロプロセッサユニット４５１と、前記移動端末４１と前記授権支払子システム４２との通信データを暗号化又は解読を行う第二マイクロプロセッサユニット４５２を含む。
【００３２】
その中に、指紋認証装置４３は具体的に実施例二に示す指紋センサー装置であってよく、指紋センサー装置４３の中にユーザーの指紋情報を保存する格納メモリを含む。
【００３３】
通信インタフェース４４はＳＩＭカード及び／又はＷｉＦｉ又は他のネットに接続する通信インタフェースであってよく、ＳＩＭカードのデータ伝送／ＷｉＦｉのネット接続機能を利用して銀行授権支払確認システム４２との接続確認を行い、２つのステップの確認を実現の上、有効な支払を完成する。
【００３４】
また、第一マイクロプロセッサユニット４５１と第二マイクロプロセッサユニット４５２との間に、汎用非同期送受信回路のインタフェースによる通信する。移動端末４１をエンベデッドシステムのメインミクロコンピューター・コントロールセンターとして設置し、移動端末４１の出力口がいずれも第一マイクロプロセッサユニット４５１によって制御される。第一マイクロプロセッサユニット４５１と第二マイクロプロセッサユニット４５２とヒューズプログラム及びバインドプログラムによってインタフェース調整という操作を禁止し、且つ汎用非同期送受信伝送器のインタフェースによる接続する。
【００３５】
本発明の実施例を利用して、まず、ユーザーの身分は２つのステップの認証を受けてから銀行授権支払確認システム４２が控除操作を行うため、ダブルでユーザー支払の安全性を保障することを実現できる；次ぎ、銀行授権支払確認システム４２と接続して、銀行が確認した授権支払協議による、支払を実現する。移動端末４１がマイクロプロセッサチップ４５、生物的特徴確認装置４３を有するため、移動端末４１は一体式のネット支払電子設備になり、安全を確保する上便利で迅速な交易を実現できる。
【００３６】
上記された本発明の実施例の番号は記述するためだけ、実施例の優劣を代表しない。
【００３７】
当業者として下記のことを良く理解できる。上記された実施例の全部又は部分のステップはハードウェアより、或いはプログラムより関連ハードウェアを指令することで完成できる。前記プログラムはコンピューターの可読記憶媒体の中に保存できる。前記記憶媒体はＲＯＭ、磁気ディスク或いは光ディスク等である。
【００３８】
上記されたのは本発明のよりよい実施例だが、本発明を限定されない。本発明の主旨及び原則の中に、如何なる訂正、同等取替え、改善等、全部本発明の保護範囲に含まれる。
【図１】
2015138545.tif 000003
【図２】
2015138545.tif 000004
【図３】
2015138545.tif 000005
【図４】
2015138545.tif 000006